(57)【要約】      （修正有）【課題】低廉でシャッターチャンスを逸することなく撮影を行なえるデジタルカメラを提供することができる。【解決手段】ＲＯＭ１１０ｃに記述されるプログラムの中に表示制御部１１０１ｃと記憶制御部１１０２ｃと満杯検知部１１０３ｃとからなる処理手順を付加する。その満杯検知部の処理手順にしたがって記憶媒体１３０の記憶容量が所定の容量以下になった満杯が検知されたときに既撮影消去画像としてＬＣＤパネル１０３ａ上に記憶媒体１３０に記憶されているいずれかの画像データに基づく画像を表示制御部の処理手順にしたがって表示させる。このときに撮影操作が行われたらその既撮影消去画像を表わす画像データに代えて撮影操作に応じて得られた画像データを記憶する。このときには双方の画像データのサイズをあわせて記憶を行なう。【選択図】図２（ａ）
2004320444.tif 000002
【特許請求の範囲】
【請求項１】
撮影光学系を経由して入射してきた被写体光を捉えて画像データを得、撮影操作に応じて得られた画像データを記憶媒体に記憶させるデジタルカメラにおいて、
画像データに基づく画像を表示する画像表示部と、
撮影画角を視認するための、前記画像表示部とは別に設けられたファインダ部と、
前記記憶媒体の空き記憶容量が所定容量以下になった満杯を検知する満杯検知部と、
前記画像表示部に、前記撮影光学系を経由して入射してきた被写体光を捉えた画像データに基づくスルー画像を表示させるとともに、前記満杯検知部により前記満杯が検知されたことを受けて、前記画像表示部に、前記スルー画像に代えて、前記記憶媒体に記憶された画像データの中から選択自在に選択された画像データに基づく既撮影画像を表示させる表示制御部と、
前記画像表示部に前記既撮影画像が表示された場合に、前記記憶媒体に記憶された画像データの中から消去される画像データを選択するとともに、該消去される画像データにより表わされる既撮影消去画像を前記画像表示部に表示させるための操作子と、
撮影操作に応じて得られた画像データを、前記満杯検知部により前記満杯が検知される前においては該記憶媒体の空き領域に記憶させるとともに、前記満杯検知部により前記満杯が検知された後は、前記記憶媒体中の、前記操作子の操作により選択された前記消去される画像データに代えて記憶させる記憶制御部とを備えたことを特徴とするデジタルカメラ。
【請求項２】
前記記憶媒体に記憶された画像データを、操作に応じて、消去を許容する画像データと消去を禁止する画像データとに区分する画像重要度評価部を備え、
前記表示制御部は、前記満杯検知部により前記満杯が検知されたことを受けて、前記画像表示部に、前記スルー画像に代えて、前記画像重要度評価部により消去が許容された画像データの中から選択自在に選択された画像データに基づく既撮影画像を表示させるものであることを特徴とする請求項１記載のデジタルカメラ。
【発明の詳細な説明】
【０００１】
【発明の属する技術分野】
本発明は、撮影光学系で固体撮像素子に被写体光を結像させてその固体撮像素子でその被写体光に基づく画像を表わす画像信号を得るデジタルカメラに関する。
【０００２】
【従来の技術】
従来のデジタルカメラでは撮影した画像データが記憶媒体たとえばメモリカードの空き領域に記憶される。しかし、記憶媒体の空き記憶容量が所定の容量以下になると、撮影操作に応じて得られた画像データを記憶することができなくなる。この場合にはメモリカードが可搬型であれば、新規にメモリカードを差し替えて新たに挿入されたメモリカードに撮影した画像データを記憶することが行なわれる。または再生モードに切り替えて記憶媒体に記憶された画像データのうち、いずれかの画像データを再生して消去操作を行なってその画像データを消去してから、その消去された画像データに代えて撮影した画像データを記憶することが行なわれる。
【０００３】
前者の場合には差し替え用の別のメモリカードを携帯する必要があり、その別のメモリカードに交換している間にシャッタチャンスを逸するといったことが起こることがある。
【０００４】
後者の場合には撮影モードから再生モードに切り替えて、メモリカードに記憶されている画像データの内容を確認する必要があるため、その確認を行なっている間にやはりシャッタチャンスを逸するといったことが起こる。
【０００５】
このようなことを防止するため、データ通信装置を設けて記憶装置の空き記憶容量が少なくなったことが検出されたときにそのデータ通信装置により記憶装置に記憶されている画像データのうち、最も日付の古い画像あるいは色数の少ない画像などを選択して送信し、記憶装置の記憶領域の中に空きを作成するデジタルカメラがある（たとえば特許文献１参照）。
【０００６】
【特許文献１】
特開平２００１−１５４２２８号公報
【０００７】
【発明が解決しようとする課題】
しかしながら特許文献１に記載されたデジタルカメラではデータ通信装置を設けなければならないため、どうしても高価になるという問題もある。
【０００８】
本発明は、上記事情に鑑み、低廉で、かつシャッタチャンスを逸することのないデジタルカメラを提供することを目的とする。
【０００９】
【課題を解決するための手段】
上記目的を達成する本発明のカメラは、撮影光学系を経由して入射してきた被写体光を捉えて画像データを得、撮影操作に応じて得られた画像データを記憶媒体に記憶させるデジタルカメラにおいて、
画像データに基づく画像を表示する画像表示部と、
撮影画角を視認するための、上記画像表示部とは別に設けられたファインダ部と、
上記記憶媒体の空き記憶容量が所定容量以下になった満杯を検知する満杯検知部と、
上記画像表示部に、上記撮影光学系を経由して入射してきた被写体光を捉えた画像データに基づくスルー画像を表示させるとともに、上記満杯検知部により上記満杯が検知されたことを受けて、上記画像表示部に、上記スルー画像に代えて、上記記憶媒体に記憶された画像データの中から選択自在に選択された画像データに基づく既撮影画像を表示させる表示制御部と、
上記画像表示部に上記既撮影画像が表示された場合に、上記記憶媒体に記憶された画像データの中から消去される画像データを選択するとともに、その消去される画像データにより表わされる既撮影消去画像を上記画像表示部に表示させるための操作子と、
撮影操作に応じて得られた画像データを、上記満杯検知部により上記満杯が検知される前においてはその記憶媒体の空き領域に記憶させるとともに、上記満杯検知部により上記満杯が検知された後は、上記記憶媒体中の、上記操作の操作により選択された上記消去される画像データに代えて記憶させる記憶制御部とを備えたことを特徴とする。
【００１０】
上記本発明のデジタルカメラによれば、上記満杯検知部で上記記憶媒体の空き記憶容量が所定の容量以下であることが検知されたときに上記表示制御部にスルー画像に代えて既撮影画像が表示され、上記記憶媒体の容量が満杯状態であることがユーザに伝えられる。このときユーザは記憶媒体の記憶容量が満杯状態であることを画像表示部に表示されていたスルー画像に代わり既撮影消去画像が表示されたことによって確認することができる。このときにはファインダで撮影画角を視認しながら撮影を行なうことができるため、シャッタチャンスを逸するといったことがなくなる。このときの撮影操作に応じて得られた画像データは上記画像表示部に表示された既撮影消去画像を表わす画像データに代えて記憶媒体に記憶される。
【００１１】
また表示画面上に表示されている既撮影消去画像がユーザにとって消去したくない画像であることもある。そういう場合にユーザは上記操作子を操作して上記記憶媒体に記憶された画像データの中から消去される画像データを選択することもできる。このように既撮影消去画像を操作子により選択して画像表示部に表示させることで消去したくない画像を消去してしまう率が低減されるという効果もある。さらに、上記本発明の中の満杯検知部、記憶制御部、表示制御部は、たとえばデジタルカメラ内に配備されるＣＰＵを手順どおりに働かせるためのプログラムで表記可能なものであるため、データ通信装置を別途設けるよりは遥かに低廉なものになる。
【００１２】
ここで上記本発明のデジタルカメラでは上記操作子により既撮影画像を選択しているときに時間を要してシャッタチャンスを逸してしまう恐れがある。
【００１３】
そこで、本発明のデジタルカメラにおいて、上記記憶媒体に記憶された画像データを、操作に応じて、消去を許容する画像データと消去を禁止する画像データとに区分する画像重要度評価部を備え、
上記表示制御部は、上記満杯検知部により上記満杯が検知されたことを受けて、上記画像表示部に、上記スルー画像に代えて、上記画像重要度評価部により消去が許容された画像データの中から選択自在に選択された画像データに基づく既撮影画像を表示させるものであることが好ましい。
【００１４】
このように画像重要度評価部を設けて消去を許容する画像データと消去を禁止する画像データとを区分しておくと、消去を許容する画像データに基づく既撮影消去画像を優先させて画像表示部に表示させることができる。この画像重要度評価部はたとえば上記操作子の操作に応じて消去を許容する画像データと消去を禁止する画像データとを区分するものであると、ユーザがその操作子により予め指定した消去を許容する画像データに基づく既撮影画像を上記表示制御部により画像表示部に表示させることができる。その結果上記操作子で既撮影消去画像を選択する操作を行なう必要がなくなり、撮影操作を素早く行なえてシャッタチャンスを逸するといったことがさらに低減される。
【００１５】
また画像重要度評価部もたとえばたとえばデジタルカメラ内に配備されるＣＰＵを手順どおりに働かせるためのプログラムで表記可能なものであるため、データ通信装置を別途設けるよりは遥かに低廉なものになる。
【００１６】
【発明の実施の形態】
以下、本発明の実施形態であるデジタルカメラの構成を説明する。
【００１７】
図１（ａ）は本実施形態のデジタルカメラ１００を、斜め前方から見た構成斜視図である。また、図１（ｂ）はカメラボディ１００ａを斜め後ろから見た構成斜視図である。
【００１８】
図１（ａ）に示すようにカメラボディ１００ａの中央にレンズ鏡胴１０１が備えられており、そのレンズ鏡胴の上方にファインダの対物窓１０２が設けられている。
【００１９】
このファインダの対物窓１０２を通して得られる既写体像をカメラボディ背面にあるファインダの接眼部から覗いて既写体を視認することによりフレーミングを行なうこともできるが、このファインダの代わりにカメラボディ背面に設けられているＬＣＤパネルに表示されるスルー画像によってもフレーミングを行なえる。
【００２０】
図１（ｂ）に示すようにカメラボディ１００ａの背面にはＬＣＤパネル１０３が設けられている。このＬＣＤパネル１０３ａの横には操作キーとして十字キー１０４が設けられており、その十字キー１０４にはＵＰキー１０４ａ、ＤＯＷＮキー１０４ｂ、ＦＦキー１０４ｃ、ＲＥＷキー１０４ｄの４つのキーがある。また、その十字キー１０４の下方には、ＬＣＤパネル１０３ａにメニューを表示させるためのメニュー釦１０５と、そのメニュー釦１０５が押されたときにＬＣＤパネル１０３ａ上に表示されるメニュー画面の中の選択項目をこのデジタルカメラに実行させるための決定釦１０６と、選択項目を選択しても実行をさせないときに押されるキャンセル釦１０７とがある。
【００２１】
さらにカメラボディ１００ａ上面にはレリーズ釦１０８と撮影・再生切替スイッチ１０９が設けられており、この撮影・再生切替スイッチ１０９が撮影側に切り替えられると、撮影モードになってレンズ鏡胴に内蔵された撮影レンズにより既写体が捉えられてＬＣＤ画面上にスルー画像が表示されるとともに撮影操作が行われたら撮影操作に応じて得られた画像データが記憶媒体に記憶される。この記憶媒体たとえばメモリカードには写真にして何枚か分の画像データを記憶する容量がある。
【００２２】
また撮影・再生切替スイッチ１０９が再生モードに切り替えられると、再生モードになって記憶媒体たとえばメモリカードに記憶されている画像データが撮影順序の新しい順に読み出されてその読み出された画像データに基づく画像がＬＣＤパネル１０３ａに表示される。
【００２３】
図２はデジタルカメラの内部構成を示す図である。
【００２４】
図２（ａ）はデジタルカメラの内部構成を示す図である。また図２（ｂ）はそのデジタルカメラの内部に配備されるＲＯＭ内のメモリアロケーションを示す図である。
【００２５】
このデジタルカメラ１００の動作は統括的にＣＰＵ１１０ａにより制御される。このＣＰＵ１１０ａはＲＡＭ１１０ｂ、ＲＯＭ１１０ｃを備えており、そのＲＯＭ１１０ａに格納されているプログラムの手順に基づいてデジタルカメラ１００全体の動作がＣＰＵ１１０ａにより制御される。またＲＡＭ１１０ｃはＲＯＭ１１０ｂに記述されているプログラムの手順にしたがってＣＰＵ１１０ａが制御を行なっているときに作業領域として使用される。
【００２６】
図２（ｂ）にはそのＲＯＭ１１０ｃ内にあるプログラムの中で撮影モードに係る手順が抜粋して示されている。ここに本発明にいう表示制御部１１０１ｃ、記憶制御部１１０２ｃ、満杯検知部１１０３ｃ、画像重要度評価部１１０４ｃに当たる処理手順が記述されている。このＲＯＭ１１０ｃ内には他にも処理の手順を示したプログラムが記述されており、それらのプログラムにしたがってカメラ全体の動作がＣＰＵ１１０ａにより制御される。
【００２７】
まず撮影モード時の画像データの流れを、図２（ａ）を参照して説明する。
【００２８】
まず撮影モードに切り替えられたら、撮影光学系となるレンズで被写体光を固体撮像素子に結像させ、固体撮像素子で生成される画像データを所定の間隔ごとにＣＤＳ部１４３側へ出力することがＣＰＵ１１０ａの指示に基づいて駆動部１４０により行われる。本実施形態のデジタルカメラ１００が撮影モードで使用されるときにはフレーミングが任意に行われるので、所定の間隔ごとに固体撮像素子１４２で生成された画像データを信号処理部１２０側へ出力してＬＣＤ１０３のＬＣＤパネルに表示させる必要がある。このため、撮影光学系の中のレンズ１４１の位置が常時フレーミングにあわせて調節される。ここではＲＯＭ１１０ｃ内にある処理手順にしたがってＣＰＵ１１０ａから出される指示に基づいて駆動部１４０によってレンズ１４１の位置が調節される。このようにしてその位置が調節されたレンズ１４１で固体撮像素子１４２に被写体光が結像される。撮影モード時にはこの結像された被写体光に基づく被写体像がスルー画像を表わす画像データとして、所定の間隔ごとに信号処理部１２０側に向けて出力される。このときにはＣＰＵ１１０ａの指示に基づいてタイミングジェネレータ１４０ａのタイミング信号に基づいて駆動部１４０で駆動信号が生成される。この駆動部で生成された駆動信号によって固体撮像素子１４２から信号処理側に向けて固体撮像素子１４２で生成された画像データ出力される。信号処理部１２０の前段にはＣＤＳ部（Ｃｏｒｒｅｌａｔｉｏｎ  Ｄｏｕｂｌｅ  Ｓａｍｐｌｉｎｇの略）１４３とそのＣＤＳ部１４３で雑音が低減された画像データをデジタル信号に変換するＡ／Ｄ部１４４が配備されている。このＣＤＳ部１４３では固体撮像素子１４２から画像データが出力されるときに発生する雑音の低減が行なわれ、Ａ／Ｄ部１４４ではＲＧＢからなるアナログの画像データがデジタル信号の画像データに変換される。そしてＡ／Ｄ部１４４でデジタル信号に変換されたＲＧＢ信号からなる画像データが信号処理部１２０と積算部１１２にそれぞれ供給される。
【００２９】
積算部側１１２ではＲＧＢ信号からなる画像データに基づいて撮影画角内の輝度が検出され、積算され、その積算結果がＣＰＵ１１０ａに供給されて、絞り（不図示）の調節が行われる。
【００３０】
一方信号処理部１２０側ではＣＰＵ１１０ａからの指示に基づいてＲＧＢ信号からなる画像データに所定の信号処理が施される。この信号処理部１２０はたとえばＤＳＰからなるもので、ＣＰＵ１１０ａと協同して画像データの信号処理を行なう。この信号処理部１２０ではＣＰＵ１１０ａからの指示に基づいて画像データの信号処理が行われ、その信号処理の状態の変化に応じて、その状態の変化を示す信号をＣＰＵ１１０ａに返している。
【００３１】
この信号処理部はＲＧＢ信号をＲ信号、Ｇ信号、Ｂ信号に分離してそれらの信号からカラー情報を得る同時化部１２０ａと、その同時化部１２０ａによって分離されたＲ信号、Ｇ信号、Ｂ信号を後段のγ補正部１２０ｃにそれぞれ供給するためのバッファ部１２０ｂと、そのバッファ部１２０ｂから供給されたＲ信号、Ｇ信号、Ｂ信号にそれぞれγ補正を加えるγ補正部１２０ｃと、そのγ補正部１２０ｃにより補正されたＲ信号、Ｇ信号、Ｂ信号をＹＣ信号に変換するＹＣ処理部１２０ｄと、そのＹＣ処理部１２０ｄでＹＣ信号に変換された信号を蓄え、ＬＣＤ１０３側のＬＣＤドライバ１０３ｂに供給するためのメモリ部１２０ｅとからなる。
【００３２】
固体撮像素子側１４２からこの信号処理部１２０に供給されたＲＧＢ信号からなる画像データは、まず信号処理部１２０の入力側にある同時化部１２０ａでＲ信号、Ｇ信号、Ｂ信号に分離される。この分離されたＲ信号、Ｇ信号、Ｂ信号がバッファ１２０ｂを介して後段のγ補正部１２０ｃへと供給され、γ補正部１２０ｃでＲ信号、Ｇ信号、Ｂ信号それぞれにγ補正が加えられる。これらγ補正されたＲ信号、Ｇ信号、Ｂ信号がさらに後段のＹＣ処理部１２０ｄに供給されてＹＣ信号に変換され、このＹＣ信号に変換された画像データが信号処理部の出力側にあるメモリ部１２０ｅに書き込まれる。このメモリに書き込まれた画像データがＬＣＤドライバ１０３ｂに供給され、このＬＣＤドライバ１０３ｂではそのＹＣ信号に基づいてＬＣＤ１０３のＬＣＤパネル１０３ａ上にその画像データに基づく画像の表示が行なわれる。撮影モード時には所定の間隔ごとにこのメモリ部１２０ｅの内容が書き換えられ、ＬＣＤパネル１０３ａ上にスルー画像が表示され、記憶媒体の容量が所定容量以下である満杯がＣＰＵにより検知されたときにはスルー画像に代えて記憶媒体からいずれかの画像データが読み出されてこのメモリ部に書き込まれる。
【００３３】
ここで、撮影操作が行なわれたときの処理を図２（ａ），図２（ｂ）を参照して説明する。
【００３４】
ＬＣＤパネル１０３ａ上にスルー画像が表示されているときにレリーズ釦１０８が押下され撮影操作が行われたら、撮影操作が行われたときに固体撮像素子１４２で生成されていた画像データが信号処理部１２０から圧縮伸張部１５０を経由して記憶媒体コントローラ１３０ａによって記憶媒体１３０に記憶される。このときにはＲＯＭ１１０ｃ内の記憶制御部１１０２ｃにある処理手順にしたがってＣＰＵ１１０ａにより圧縮伸張部１５０および記憶媒体コントローラ１３０ａが制御される。この圧縮伸張部１５０での圧縮作業は記憶媒体１３０の記憶効率を向上させるために行なわれるものであり、この圧縮によって記憶媒体１３０に多数の画像データが記憶されるようになる。しかし記憶効率を向上させるために圧縮を行っただけでは画像データに基づく画像データを再生することができない。そこでＣＰＵ１１０ａではその圧縮伸張部１５０により圧縮が行われたときに、その圧縮情報を画像データに付加して画像ファイルとして記憶媒体１３０に記憶するようにしている。こうすることによって撮影モード／再生モードスイッチ１０９が再生モードに切り替えられたときにＣＰＵ１１０ａではその圧縮情報に基づいて圧縮された画像データの伸張を圧縮伸張部１５０によって行なえる。
【００３５】
撮影モード時に次々と撮影が行なわれて記憶媒体１３０が満杯になったときには、図２（ｂ）に示すＲＯＭ１１０ｃ内の満杯検知部１１０３ｃにある処理手順によって記憶媒体１３０の満杯がＣＰＵ１１０ａによって検出される。このように記憶媒体１３０の記憶容量が所定容量以下になった満杯であることが満杯検知部１１０３ｃにある処理手順にしたがってＣＰＵ１１０ａにより検知されたときには撮影を行なっても撮影操作に応じて得られる画像データを記憶媒体１３０に記憶するところがない。このときに撮影モード・再生モード切替スイッチ１０９を再生モードに切り替えて画像データの消去を行なうとシャッタチャンスを逸してしまう。そこで、そのときには表示制御部にある処理手順にしたがって既撮影画像データが記憶媒体１３０から読み出されて図２（ｃ）に示すメモリ部１２０ｅに書き込まれ、ＬＣＤパネル１０３ａ上にその画像データに基づく画像が「メモリフル」という文字とともに表示される。このように撮影モード時に既撮影画像がＬＣＤパネル１０３ａに表示されると、撮影者に対し記憶媒体１３０の記憶容量が所定の記憶容量以下である満杯であることを伝えることができる。なお、この満杯検知部は再生モード側にも配備されており、再生モード時に満杯検知部の処理手順にしたがって満杯がされたときは既撮影画像が「メモリフル」の文字とともに表示されるようになっている。
【００３６】
ここでは図２（ｂ）に示すように表示制御部１１０１ｃと満杯検知部１１０３ｃとがＲＯＭ１１０ｃ内の撮影モードの手順の中に格納されているので、撮影モード時に満杯検知部１１０３ｃの処理手順にしたがって記憶媒体１３０の記憶容量が所定の容量以下になった満杯がＣＰＵ１１０ａにより検知されたら、同じＲＯＭ内にある表示制御部の処理手順にしたがってＬＣＤパネル１０３ａ上に、既撮影画像を表示させることをＣＰＵ１１０ａにより行なえる。
【００３７】
このようにすると、ユーザは撮影モード時にＬＣＤパネル１０３ａの表示を見て記憶媒体１３０の空き記憶容量が所定容量以下になった満杯状態であることを認識することができる。また既撮影画像がＬＣＤパネル１０３ａに表示されているときに撮影操作が行われると、その既撮影画像が既撮影消去画像となってその既撮影消去画像を表わす画像データに代えて撮影画像を表わす画像データを記憶媒体に記憶させることができる。
【００３８】
図３はＬＣＤパネル１０３ａ上の表示例である。
【００３９】
図３はＲＯＭ内の満杯検知部にある処理手順にしたがってＣＰＵが記憶媒体１３０の記憶容量の満杯を検知したときに同じＲＯＭ内の表示制御部にある処理手順にしたがってＣＰＵがＬＣＤパネル１０３ａにスルー画像に代えて既撮影画像を表示させるときの状態を示す図である。
【００４０】
図３には撮影中にスルー画像が表示され、満杯検知部にある処理手順にしたがってＣＰＵによって記憶媒体１３０の満杯が検知されたときに、スルー画像が既撮影画像に切り替えられるときの状態が示されている。ユーザにより既撮影画像が確認され、記憶媒体の記憶容量が満杯であることが認識されたら、ユーザはファインダを覗いて撮影を行なう。このようにすることで記憶媒体の記憶容量が満杯になっても撮影を行なえないという状況が回避され、シャッタチャンスを逸するといったことがなくなる。また、最初に表示された既撮影画像が消去したくない画像であった場合には、消去しても良い画像データを選択してから撮影操作に移れるので、消去したくない画像を消去してしまうといった率が低減される。
【００４１】
ここで、撮影操作に応じて得られた画像データを、既撮影画像を表わす画像データに代えて記憶媒体に記憶しようとすると、前者と後者の画像データのサイズに違いが現れることもある。そこで記憶制御部では圧縮伸張部１５０によってこれら画像データのサイズを合わせた上で撮影操作に応じて得られた画像データを記憶することが行なわれている。このように双方の画像データのサイズをあわせて記憶すると、既撮影消去画像を表わす画像データのところに撮影に応じて得られた画像データを整然と記憶することができる。
【００４２】
図４はいままで説明してきた満杯検知時の処理の流れを示すフローチャートである。
【００４３】
図４に示すフローチャートにしたがって撮影モード時に満杯が検知されたときの処理の流れを説明する。
【００４４】
この記憶媒体の記憶容量が満杯であるかどうかの検知の処理は、撮影モード中にＣＰＵ１１０ａにより行なわれるものであるので、撮影モードに切り替えられたときにこのフローチャートの処理が開始される。なお再生モード時には、記憶媒体の中の最も新しい既撮影画像が「メモリフル」の文字とともに表示される。
【００４５】
このフローチャートの処理がスタートしたらまずステップ４２でスルー画像の処理が行なわれて表示画面にスルー画像が表示される。
【００４６】
ステップＳ４３で記憶媒体１３０の記憶容量が所定容量以下になったかどうかが検知される。ここでＮｏと判定されたら、スルー画像の処理プロセスを続行させてスルー画像の表示を引き続き行なう。ここでＹｅｓと判定されたら次のステップＳ４４へ移行して画像データの読み出しが表示制御部により行なわれる。この読み出された画像データが圧縮伸張部で伸張されて表示制御部により信号処理部の出力段にあるメモリ１２０ｅに書き込まれる。このメモリ１２０ｅに画像データが書き込まれると、ＬＣＤパネル１０３ａにそのメモリ１２０ｅにある画像データに基づく画像が表示される。このときにはスルー画像の処理が中断されているので、既撮影画像が再生されてＬＣＤパネル１０３ａに「メモリフル」の文字とともに表示される。
【００４７】
そしてステップＳ４６でＦＦキーあるいはＲＥＷキーのいずれかが操作されているかどうかが判定される。ＦＦキーが操作されたらアドレスの昇順に、ＲＥＷキーが操作されたらアドレスの降順に記憶媒体１３０に記憶されている画像データが順次読み出され、操作に応じて別の既撮影画像がＬＣＤパネルに次々と表示される。
【００４８】
そしてＦＦキーあるいはＲＥＷキーのいずれも操作されなくなって既撮影消去画像が選択されたらＮｏと判定されて次のステップＳ４７へ移行する。次のステップＳ４７ではレリーズ釦が半押しされているかどうかの判定が行なわれる。このデジタルカメラは半押しと全押し二つの操作態様を有する。ここで半押しされてＹｅｓと判定されたら、ステップＳ４８で表示画面に表示されている既撮影消去画像を消去することが行なわれる。
【００４９】
そして次のステップＳ４９へ移行してレリーズ釦の全押し操作があったかどうかが判定され、全押しされてＹｅｓと判定されたら、次のステップＳ５０で画像データがその消去されたところに画像ファイルとして記憶される。このときには画像ファイルのサイズを既撮影画像の画像ファイルのサイズにあわせて記憶することが行われる。
【００５０】
以上説明したように満杯検知部で記憶媒体の容量が満杯であることが検知されたときに既撮影画像が表示画面に表示され、記憶媒体の容量が満杯状態であることをユーザに認識させることができる。既撮影画像を表示させているときにユーザにより撮影操作が行われると、その表示させてある既撮影画像が既撮影消去画像としてＣＰＵにより認識され、撮影操作に応じて得られた画像データを、既撮影消去画像を表わす画像データに代えて記憶媒体に記憶することを行なえる。このときには画像データのサイズをあわせて記憶させることを行なうので、記憶媒体の記憶容量を効率的に使用することができる。
【００５１】
以上のままでも良いが本発明にいう重要度評価部を図２（ｂ）に示すように設けておくと、その重要度評価部により消去を許容する画像を予め指定しておくことができる。そうすると操作子により既撮影消去画像を選択する手間が省けてシャッタチャンスを逸する率がさらに低減される。
【００５２】
この重要度評価部もＲＯＭに記述されるプログラムによって実現されるものであって、この重要度評価部により消去を許容する画像データと消去を禁止する画像データとをたとえば撮影日時によって区分するようにすると、画像データを読み出すときに最も撮影日時の古い画像データを、消去を許容する画像データとして読み出すことができる。たとえば、記憶媒体に記憶されている画像データ側に消去可能であるという情報を付加することでも区分を行なうことができる。その消去可能であるという情報を、既撮影画像を表わす画像データに書き込むためには、操作子によって既撮影画像が消去可能であることを指定しておけば良い。このようにしておけば、いち早く既撮影消去画像を表わす画像データを特定することができ、その特定された画像データを表示制御部で読み出し、ＬＣＤパネル１０３ａにその画像データを表示させることができる。
【００５３】
このようにすると既撮影画像を、十字キーを操作して選択する手間が省けて、記憶媒体の記憶容量が満杯となったときに消去を許容された画像が既撮影消去画像として表示画面にいち早く表示されるので、ファインダを覗いて撮影操作を行なったとしてもシャッタチャンスを逸するといったことがなくなる。
【００５４】
またプログラム内にプログラムを記述することで上記課題が達成されるので、データ通信装置を別途設けるよりは遥かに低廉なものになる。
【００５５】
【発明の効果】
以上、説明したように、本発明のカメラによれば、低廉でシャッタチャンスを逸することなく撮影を行なえるデジタルカメラを提供することができる。
【図面の簡単な説明】
【図１（ａ）】本実施形態のデジタルカメラを、斜め前方から見た構成斜視図である。
【図１（ｂ）】本実施形態のデジタルカメラを、斜め後方から見た構成斜視図である。
【図２（ａ）】本実施形態のデジタルカメラを、斜め後方から見た構成斜視図である。
【図２（ｂ）】デジタルカメラの内部に配備されるＲＯＭ内のメモリアロケーションを示す図である。
【図３】ＬＣＤパネルにスルー画像に代えて既撮影画像を表示させるときの状態を示す図である。
【図４】マイクロコンピュータ内の満杯検知部で記憶媒体の記憶容量の満杯が検知された時の処理の流れを示すフローチャートである。
【符号の説明】
１００  デジタルカメラ
１００ａ    カメラボディ
１０１  レンズ鏡胴
１０２  ファインダ
１０３    ＬＣＤ
１０３ａ    ＬＣＤパネル
１０４    十字キー
１０５    メニュー釦
１０６    決定釦
１０７    キャンセル釦
１０８    レリーズ釦
１０９    撮影・再生モード切替スイッチ
１１０    マイクロコンピュータ
１１０ａ    ＣＰＵ
１１０ｂ    ＲＯＭ
１１０ｃ    ＲＡＭ
１２０    信号処理部
１３０    記憶媒体
【図１（ａ）】
2004320444.tif 000003
【図１（ｂ）】
2004320444.tif 000004
【図２（ａ）】
2004320444.tif 000005
【図２（ｂ）】
2004320444.tif 000006
【図３】
2004320444.tif 000007
【図４】
2004320444.tif 000008